(57)【要約】【課題】ポンプ収容室に収容するポンプと、容器本体内に収容する空気分散器とを接続するエアーチューブが容器本体から直接にエアーポンプ収容室に接続する場合、エアーポンプと容器本体の挿通孔との間から容器本体内の水がポンプ収容室に入る課題がある。【解決手段】隔壁にて隔離形成されたポンプ収容室１０と、これと隣接して設けた下方を開放した排水用室１３とを備えた容器本体１と、容器本体１に被蓋させる蓋体２とで構成され、ポンプ収容室１０に収容するポンプＰと、容器本体内に収容する空気分散器Ｓとを接続するエアーチューブＴを導通するための凹溝１４を排水用室１３と容器本体１内とを隔離した隔壁１７に形成してあり、この凹溝１４に導通したエアーチューブＴが一旦排水用室１３を経た後、ポンプ収容室１０に導通されるようポンプ収容室側隔壁のうち排水用室との境に凹溝１６を形成する。【選択図】　　　　　　図３
2004135507.tif 000002
【特許請求の範囲】
【請求項１】
隔壁にて隔離形成されたポンプ収容室と、これと隣接して設けた下方を開放した排水用室とを備えた容器本体と、容器本体に被蓋させる蓋体とで構成され、ポンプ収容室に収容するポンプと、容器本体内に収容する空気分散器とを接続するエアーチューブを導通するための凹溝を排水用室と容器本体内とを隔離した隔壁に形成してあり、この凹溝に導通したエアーチューブが一旦排水用室を経た後、ポンプ収容室に導通されるようポンプ収容室側隔壁のうち排水用室との境に凹溝を形成してあることを特徴とする活魚輸送用容器。
【請求項２】
排水用室からポンプ収容室に通ずる凹溝と、容器本体内から排水用室に通ずる凹溝とは前者が高く、後者が低くなるよう高低差をつけて形成してあることを特徴とする、請求項１記載の活魚輸送用容器。
【請求項３】
ポンプ収容室には開口上端部を閉塞できる補助蓋を被蓋できるよう設けてあることを特徴とする、請求項１または２記載の活魚輸送用容器。
【請求項４】
ポンプ収容室は外壁下方が容器本体外へ通ずるよう開放されていることを特徴とする、請求項１〜３の何れかに記載の活魚輸送用容器。
【発明の詳細な説明】
【０００１】
【発明の属する技術分野】
本発明は、活魚輸送用容器に関し、魚介類を活性状態で良好に輸送できるようにした容器である。
【０００２】
【従来の技術】
従来における魚介類を輸送する容器としては、水溶液とともに魚介類を入れ、エアーポンプから容器に噴き込まれた空気を、容器内に取り付けられた空気分散器によって水溶液中に常時噴き出しながら魚介類を輸送する発泡スチロール製の蓋付きの魚介類を輸送する容器において、エアーポンプが配置されている凹部空間の構造が容器外に排水可能な構造を採用してあるものがある（例えば特許文献１参照。）。
【０００３】
【特許文献１】
特許第３２８９９３０号公報
【０００４】
【発明が解決しようとする課題】
しかしながら、エアーポンプ収容室が排水可能であっても、一旦容器本体内の水がエアーポンプ収容室内に入る可能性のあることはエアーポンプの機能性維持の点からしても決して好ましいものではなかった。
特に、ポンプ収容室に収容するポンプと、容器本体内に収容する空気分散器とを接続するエアーチューブが容器本体から直接にエアーポンプ収容室に接続する場合、エアーポンプと容器本体の挿通孔との間から容器本体内の水がポンプ収容室に入ることもあり、ポンプ収容室付の容器の課題とされていた。
【０００５】
そこで、本発明では、上記したポンプ収容室内に水が入るという課題を解決できる活魚輸送用容器を提供することを目的としている。
【０００６】
【課題を解決するための手段】
上記従来品の課題を解決することのできる本発明による活魚輸送用容器としては、請求項１に記載したように、隔壁にて隔離形成されたポンプ収容室と、これと隣接して設けた下方を開放した排水用室とを備えた容器本体と、容器本体に被蓋させる蓋体とで構成され、ポンプ収容室に収容するポンプと、容器本体内に収容する空気分散器とを接続するエアーチューブを導通するための凹溝を排水用室と容器本体内とを隔離した隔壁に形成してあり、この凹溝に導通したエアーチューブが一旦排水用室を経た後、ポンプ収容室に導通されるようポンプ収容室側隔壁のうち排水用室との境に凹溝を形成してあることを特徴としている。
【０００７】
上記請求項１に記載した本発明による活魚輸送用容器にあっては、エアーチューブを容器本体内の空気分散器からポンプ収容室のポンプへと接続するに際しては、排水用室と容器本体とを隔離した隔壁に形成した凹溝に導通し、この凹溝に導通したエアーチューブが一旦排水用室を経た後、ポンプ収容室側隔壁のうち排水用室との境に形成してある凹溝に導通されてポンプ収容室内のポンプと接続されることになる。
【０００８】
従って、排水用室と容器本体とを隔離した隔壁に形成した凹溝とエアーチューブとの間から容器本体の水が入り込んでも、容器本体外へ一旦迂回開放された排水用室から容器本体外へ排水されることになり、ポンプ収容室側へと水が達するのを防ぐことができ、ポンプ収容室へ水が入るのを防ぐことができる。
また請求項１に従属する請求項２による本発明のように、排水用室からポンプ収容室に通ずる凹溝と、容器本体内から排水用室に通ずる凹溝とは前者が高く、後者が低くなるよう高低差をつけて形成してあることを特徴としていると、容器本体内の水は低い凹溝側の排水用室には入ることがあっても、高い凹溝側のポンプ収容室へは水が入らないことになる。
【０００９】
しかも請求項１または２に従属する請求項３の本発明によると、ポンプ収容室には開口上端部を閉塞できる補助蓋を被蓋できるよう設けてあることを特徴としているため、より一層ポンプ収容室への水の浸入を防止できる。
しかも請求項１〜３の何れかに従属する請求項４の本発明では、ポンプ収容室は外壁下方が容器本体外へ通ずるよう開放されていることを特徴としているため、ポンプへのエアー導入が容易となる。
【００１０】
【発明の実施の形態】
次いで、本発明の実施形態について図を参照しながら以下に順次説明する。
図１は何れも発泡ポリスチレン等の合成樹脂発泡体にて形成された容器本体１および蓋体２について、蓋体２の被着前を示している斜視図、図２は容器本体の平面図で、図３はその使用時の一部の拡大平面図を示している。図４は側面図、図５は図２のＡ−Ａ断面図である。
【００１１】
各図にあって、１０は海水を収容する容器本体１の一辺位置において、それぞれ隔壁１１，１２にて容器本体１から隔離形成された２個のポンプ収容室であり、各ポンプ収容室１０にはポンプＰ（図３参照）を収容できるようにしてある。１３はポンプ収容室１０と隣接して設けた排水用室である。１４はポンプ収容室１０に収容するポンプＰと、容器本体１内に収容した空気分散器Ｓ（図３参照）とを接続するようにしたエアーチューブＴを導通するための凹溝であり、排水用室１３と容器本体１とを隔離した隔壁１５に形成されている。
【００１２】
上記エアーチューブＴは、容器本体１外へ一旦迂回開放された排水用室１３を経た後、ポンプ収容室側隔壁１１，１２のうち排水用室１３との境界壁１１′，１２′に形成した凹溝１６からポンプ収容室１０へと導通されている。これらの導通状態は図３（特に一部拡大平面図）に示されてあり、図２のＡ−Ａ断面図を示す図５は、排水用室１３と容器本体１の断面を示しており、容器本体１の外へ一旦迂回開放された排水用室１３の断面を示しており、凹溝１４は排水用室１３から容器本体１の外側寄りには、内方側へ低くなるよう傾斜してあり、排水用室１３における容器本体１からの水浸入をより効果的に防げるように形成している。
【００１３】
図１に示したポンプ収容室１０上の鎖線で示す３０はポンプ収容室１０の上端開口面に被蓋する補助蓋であり、ポンプＰをポンプ収容室１０にセッティング後、開口部を閉じるように被蓋すると、ポンプ収容室１０の上方から水が入り込むのを完璧に防ぐ上で非常に好適となる。
また図１の１０ａはポンプ収容室１０へのエアー導入口である。さらに、図２の１０ｂはポンプ収容室１０の側面に形成した突起であり、１０ｃはポンプ収容室１０の底面に形成した突起であり、それぞれポンプＰの室内接触面を少なくして出し入れをし易くさらにはポンプから出る熱を放熱し易くしている。図１の１７は把持用凹部、２１は蓋体２に形成したエアー抜き用の孔であり、蓋体２の周囲より一段低くしてあり、蓋体２付容器本体１を積み重ねた場合にもエアー抜きし易く形成してあり、この孔２１に続く溝２２は外方へ開放してあり、外方に近づくほど低い勾配に形成して蓋体２上に万が一にも水が溜まることがないように形成してある。図２の１ｃは容器本体１の底面に突設した保持部で、空気分散器Ｓ付近のエアーチューブＴを保持している（図３参照）。
【００１４】
次に、図５には容器本体１と排水用室１３とを隔離する隔壁１５に形成した凹溝１４は容器本体１側で低く、排水用室１３側で高く形成されているが、排水用室１３とポンプ収容室１０との境界壁１１′となる部分の凹溝１６は凹溝１４の最上端の位置よりさらに高く形成されて水の浸入を確実に防止している。
上記した排水用室１３の凹溝１４や、排水用室１３とポンプ収容室１０間の凹溝１６にて、エアーチューブ導通部分からのポンプ収容室１０への水の浸入を確実に防止できることになる。
【００１５】
なお、図４にはポンプ収容室１０が見える側面図を、図６にはポンプ収容室１０の数を１個に変更した実施形態を図示しているもので、本発明により水がポンプ収容室１０内に入らないようにした構成については、先の実施形態と同様である。さらに、容器の一側面にのみ、ポンプ収容室、これと離接した排水用室を設けた例を示したが、容器の一側面に限らず、これと対向側面、その他側面に同様にポンプ収容室とこれと隣接した排水用室を設けてよい。
【００１６】
なお、凹溝１４や、さらには凹溝１６の下面アールと高さはエアーチューブＴより少し小さく形成して実施することで水に対するシール性を良好に維持できる。
また、図７には容器本体１と蓋体２に互いに密な嵌合状態を提供できるよう周囲にわたって細い凸条１ｂを一方に、細い凹溝２ｂを他方に形成して実施するのがシール効果をより上げる上で好ましい。
【００１７】
【発明の効果】
本発明による活魚輸送用容器によると、容器本体内の空気分散器とポンプとを接続するエアーチューブがポンプ収容室に導通される前に、容器本体とは隔壁にて隔離された排水用室に導通されているので容器本体内の水が排水用室側隔壁の凹溝とエアーチューブ間から入っても排水用室で排水されることになり、ポンプ収容室内へ水が浸入するのを確実に防止できる構成を採用してエアーチューブを容器本体内の空気分散器からポンプ収容室へと導通することができ、ポンプ収容室の機能性維持をはかる上で非常に優れた防水効果を発揮できることになる。
【図面の簡単な説明】
【図１】蓋体被着前の容器本体と蓋体を示す斜視図である。
【図２】容器本体の平面図である。
【図３】使用時を示す一部の拡大平面図である。
【図４】容器本体の要部側面図である。
【図５】容器本体の図２のＡ−Ａ断面図である。
【図６】変更例を示す容器本体の平面図である。
【図７】容器本体と蓋体との嵌合を強化した部分の断面図である。
【符号の説明】
１　　容器本体
２　　蓋体
１０　　ポンプ収容室
１１，１２，　　隔壁
１１′，１２′　　境界壁
１３　　排水用室
１４　　排水用室側の凹溝
１５　　隔壁
１６　　ポンプ収容室側の凹溝
Ｐ　　ポンプ
Ｓ　　空気分散器
Ｔ　　エアーチューブ
【図１】
2004135507.tif 000003
【図２】
2004135507.tif 000004
【図３】
2004135507.tif 000005
【図４】
2004135507.tif 000006
【図５】
2004135507.tif 000007
【図６】
2004135507.tif 000008
【図７】
2004135507.tif 000009